(57)【要約】【課題】煩雑な作業を行うことなく、異なるサイズの画像を記録することが可能な撮像装置を提供する。【解決手段】それぞれ正方格子状に配列された光電変換素子５１Ｒ，Ｇ，Ｂと光電変換素子５１ｒ，ｇ，ｂとを有する固体撮像素子５を備えるデジタルカメラであって、１回の撮像に対し、光電変換素子５１Ｒ，Ｇ，Ｂから信号を読み出す第１の駆動と、光電変換素子５１ｒ，ｇ，ｂから信号を読み出す第２の駆動とを別々に行う撮像素子駆動部１０と、光電変換素子５１Ｒ，Ｇ，Ｂから読み出された第１の信号から画像データＳ１を生成し、光電変換素子５１ｒ，ｇ，ｂから読み出された第２の信号から画像データＳ２を生成するデジタル信号処理部１７と、画像データＳ１，Ｓ２を記録媒体２１に記録する外部メモリ制御部２０とを備え、撮像素子駆動部１０は、第２の信号のサイズが第１の信号のサイズよりも小さくなるように、第１の駆動と第２の駆動で駆動方法を変更する。【選択図】図３
2010200106.tif 000002
【特許請求の範囲】
【請求項１】
複数の光電変換素子を有する固体撮像素子を備える撮像装置であって、
前記複数の光電変換素子が、第１の光電変換素子と第２の光電変換素子を含み、
１回の撮像に対し、前記第１の光電変換素子から信号を読み出す第１の駆動と、前記第２の光電変換素子から信号を読み出す第２の駆動とを別々に行う駆動手段と、
前記第１の光電変換素子から読み出された第１の信号に基づいて第１の画像データを生成し、前記第２の光電変換素子から読み出された第２の信号に基づいて第２の画像データを生成する画像データ生成手段と、
前記第１の画像データと前記第２の画像データを記録媒体に記録する画像データ記録手段とを備え、
前記駆動手段は、前記第２の信号の出力サイズが前記第１の信号の出力サイズよりも小さくなるように、前記第１の駆動と前記第２の駆動とで駆動方法を変更する撮像装置。
【請求項２】
請求項１記載の撮像装置であって、
前記駆動手段が、前記光電変換素子から読み出した電荷の垂直方向での間引き数及び加算数のいずれかと、前記電荷の水平方向での間引き数及び加算数のいずれかとを、前記第１の駆動と前記第２の駆動とで変更する撮像装置。
【請求項３】
請求項１又は２記載の撮像装置であって、
前記駆動手段が、前記第１の光電変換素子と前記第２の光電変換素子とで露光時間を変更する駆動を行う撮像装置。
【請求項４】
請求項１〜３のいずれか１項記載の撮像装置であって、
前記第１の光電変換素子と第２の光電変換素子とが、前記第１の光電変換素子に注目したときに、その素子の隣には前記第２の光電変換素子が存在し、前記第２の光電変換素子に注目したときに、その素子の隣には前記第１の光電変換素子が存在するように、互いにずれた位置に配置されている撮像装置。
【請求項５】
請求項４記載の撮像装置であって、
前記第１の光電変換素子が半導体基板上の水平方向とこれに直交する垂直方向に正方格子状に配置され、前記第２の光電変換素子が前記水平方向及び前記垂直方向に正方格子状に配置され、前記第１の光電変換素子と前記第２の光電変換素子とが、同一の配列ピッチで、かつ、互いに配列ピッチの１／２だけ前記水平方向及び前記垂直方向にずらして配置されている撮像装置。
【請求項６】
請求項１〜５のいずれか１項記載の撮像装置であって、
外部操作により、前記第２の画像データの画素サイズを前記第１の画像データの設定サイズよりも小さい範囲で設定可能な撮像装置。
【請求項７】
請求項１〜６のいずれか１項記載の撮像装置であって、
前記画像データ記録手段が、前記第２の画像データを、前記第１の画像データと関連付けた名前で記録する撮像装置。
【請求項８】
請求項１〜７のいずれか１項記載の撮像装置であって、
ネットワーク接続可能な携帯機器と通信する通信手段を備える撮像装置。
【請求項９】
複数の光電変換素子を有する固体撮像素子を備える撮像装置の制御方法であって、
前記複数の光電変換素子が、第１の光電変換素子と第２の光電変換素子を含み、
１回の撮像に対し、前記第１の光電変換素子から信号を読み出す第１の駆動と、前記第２の光電変換素子から信号を読み出す第２の駆動とを別々に行う駆動ステップと、
前記第１の光電変換素子から読み出された第１の信号に基づいて第１の画像データを生成し、前記第２の光電変換素子から読み出された第２の信号に基づいて第２の画像データを生成する画像データ生成ステップと、
前記第１の画像データと前記第２の画像データを記録媒体に記録する画像データ記録ステップとを備え、
前記駆動ステップでは、前記第２の信号の出力サイズが前記第１の信号の出力サイズよりも小さくなるように、前記第１の駆動と前記第２の駆動とで駆動方法を変更する撮像装置の制御方法。
【請求項１０】
請求項９記載の撮像装置の制御方法であって、
前記駆動ステップでは、前記光電変換素子から読み出した電荷の垂直方向での間引き数及び加算数のいずれかと、前記電荷の水平方向での間引き数及び加算数のいずれかとを、前記第１の駆動と前記第２の駆動とで変更する撮像装置の制御方法。
【請求項１１】
請求項９又は１０記載の撮像装置の制御方法であって、
前記駆動ステップでは、前記第１の光電変換素子と前記第２の光電変換素子とで露光時間を変更する駆動を行う撮像装置の制御方法。
【請求項１２】
請求項９〜１１のいずれか１項記載の撮像装置の制御方法であって、
前記第１の光電変換素子と前記第２の光電変換素子とが、前記第１の光電変換素子に注目したときに、その素子の隣には前記第２の光電変換素子が存在し、前記第２の光電変換素子に注目したときに、その素子の隣には前記第１の光電変換素子が存在するように、互いにずれた位置に配置されている撮像装置の制御方法。
【請求項１３】
請求項１２記載の撮像装置の制御方法であって、
前記第１の光電変換素子が半導体基板上の水平方向とこれに直交する垂直方向に正方格子状に配置され、前記第２の光電変換素子が前記水平方向及び前記垂直方向に正方格子状に配置され、前記第１の光電変換素子と前記第２の光電変換素子とが、同一の配列ピッチで、かつ、互いに配列ピッチの１／２だけ前記水平方向及び前記垂直方向にずらして配置されている撮像装置の制御方法。
【請求項１４】
請求項９〜１３のいずれか１項記載の撮像装置の制御方法であって、
外部操作により、前記第２の画像データの画素サイズを前記第１の画像データの設定サイズよりも小さい範囲で設定する撮像装置の制御方法。
【請求項１５】
請求項９〜１４のいずれか１項記載の撮像装置の制御方法であって、
前記画像データ記録ステップでは、前記第２の画像データを、前記第１の画像データと関連付けた名前で記録する撮像装置の制御方法。
【発明の詳細な説明】
【技術分野】
【０００１】
本発明は、撮像装置及びその制御方法に関する。
【背景技術】
【０００２】
近年の固体撮像素子は多画素化が進んでおり、撮影で得られた画像データの画素サイズが大きくなっているため、撮影後に画像データをリサイズして用いることが多くなってきている。
【０００３】
例えば、インターネットを利用したウェブログ（いわゆるブログ）には画像を載せることも多いが、ブログ上では６４０×４８０ピクセル（ＶＧＡ）程度の画素サイズがあれば十分である。このため、ブログ作成者は、デジタルカメラで撮影した画像データを、パーソナルコンピュータやデジタルカメラ等で例えばＶＧＡサイズにリサイズ処理した後、リサイズ後の画像データをサーバーにアップロードするという作業を行っており、その作業が煩雑となっている。
【０００４】
最初からＶＧＡサイズで撮影を行うことで、このような作業を省略することも可能である。しかし、ブログ用とは別に大きい画素サイズの画像を保存しておきたいというニーズも当然存在し、ブログ作成者にとっては、やはり、上記作業を行うことが一般的となる。
【０００５】
特許文献１には、行方向とこれに直交する列方向に正方格子状に配列された光電変換素子からなる第一の光電変換素子群と、同じく正方格子状に配列された光電変換素子からなる第二の光電変換素子群とを、それぞれの配列ピッチの１／２だけ行方向及び列方向にずらして配置した固体撮像素子が開示されている。この固体撮像素子によれば、第一の光電変換素子群と第二の光電変換素子群とからそれぞれ独立に信号を読み出すことが可能なため、１回の撮像で２つの画像データを生成することができる。
【０００６】
特許文献１の構成によれば、１回の撮像で２つの画像データを生成することができるため、１つは保存用、１つはブログ用といった使い方が可能となる。しかし、２つの画像データの画素サイズは同じであるため、ブログ用の画像データを生成するには、やはり上記リサイズ作業が必要となり、煩雑さは変わらない。
【０００７】
なお、単一の撮像素子から得られる撮像信号から、画素サイズの異なる複数の画像データを生成するために、信号処理手段を複数設けた装置が特許文献２に記載されている。しかし、この構成では、信号処理手段を複数設けることによる装置面積の増大やコスト増が懸念される。
【０００８】
また、特許文献３には、２回の露光を行い、１回目の露光によって発生した電荷は１／２に間引いて読み出し、２回目の露光によって発生した電荷は間引かずに読み出すことで、画素サイズの異なる２種類の画像データを生成可能な構成が開示されている。しかし、この構成では、２回の露光に時間差が生じるため、２つの画像に差が生じてしまい、単純に画素サイズだけが異なる２つの画像データを得ることができない。また、特許文献３の装置は、２種類の画像データを合成した画像データを記録するものであり、２種類の画像データを記録できるものではない。
【０００９】
また、特許文献４には、ランダムアクセス可能な撮像素子を用い、表示系に出力するための低解像度の画像データを生成する低解像度シーケンスと、記録系に出力するための高解像度の画像データを生成する高解像度シーケンスとを分けて行う方法が開示されている。しかし、この方法も、低解像度シーケンスと高解像度シーケンスの撮像に時間差が生じる。また、低解像度用と高解像度用で別々の信号処理回路が必要となる。
【先行技術文献】
【特許文献】
【００１０】
【特許文献１】特開２００８−１６０６７４号公報
【特許文献２】特開２００４−４０４３２号公報
【特許文献３】特開２００４−３５７３３５号公報
【特許文献４】特開平５−１２２５７４号公報
【発明の概要】
【発明が解決しようとする課題】
【００１１】
本発明は、上記事情に鑑みてなされたものであり、煩雑な作業を行うことなく、異なる画素サイズの画像データを記録することが可能な撮像装置及びその制御方法を提供することを目的とする。
【課題を解決するための手段】
【００１２】
本発明の撮像装置は、複数の光電変換素子を有する固体撮像素子を備える撮像装置であって、前記複数の光電変換素子が、第１の光電変換素子と第２の光電変換素子を含み、１回の撮像に対し、前記第１の光電変換素子から信号を読み出す第１の駆動と、前記第２の光電変換素子から信号を読み出す第２の駆動とを別々に行う駆動手段と、前記第１の光電変換素子から読み出された第１の信号に基づいて第１の画像データを生成し、前記第２の光電変換素子から読み出された第２の信号に基づいて第２の画像データを生成する画像データ生成手段と、前記第１の画像データと前記第２の画像データを記録媒体に記録する画像データ記録手段とを備え、前記駆動手段は、前記第２の信号の出力サイズが前記第１の信号の出力サイズよりも小さくなるように、前記第１の駆動と前記第２の駆動とで駆動方法を変更する。
【００１３】
本発明の撮像装置の制御方法は、複数の光電変換素子を有する固体撮像素子を備える撮像装置の制御方法であって、前記複数の光電変換素子が、第１の光電変換素子と第２の光電変換素子を含み、１回の撮像に対し、前記第１の光電変換素子から信号を読み出す第１の駆動と、前記第２の光電変換素子から信号を読み出す第２の駆動とを別々に行う駆動ステップと、前記第１の光電変換素子から読み出された第１の信号に基づいて第１の画像データを生成し、前記第２の光電変換素子から読み出された第２の信号に基づいて第２の画像データを生成する画像データ生成ステップと、前記第１の画像データと前記第２の画像データを記録媒体に記録する画像データ記録ステップとを備え、前記駆動ステップでは、前記第２の信号の出力サイズが前記第１の信号の出力サイズよりも小さくなるように、前記第１の駆動と前記第２の駆動とで駆動方法を変更する。
【００１４】
ここで言う出力サイズとは、固体撮像素子から出力されてくる信号を、そのサンプリングポイントに対応させて２次元状に配置したときの、垂直方向の信号数と水平方向の信号数とこれらの積とで定義できる値である。
【発明の効果】
【００１５】
本発明によれば、煩雑な作業を行うことなく、異なる画素サイズの画像データを記録することが可能な撮像装置及びその制御方法を提供することができる。
【図面の簡単な説明】
【００１６】
【図１】本発明の一実施形態を説明するための撮像装置の一例であるデジタルカメラの概略構成を示す図
【図２】図１のデジタルカメラに搭載された固体撮像素子の構成例を示した平面模式図
【図３】図１のデジタルカメラによる２枚撮りモード時の動作を説明するためのフローチャート
【図４】図１のデジタルカメラによる２枚撮りモード時の固体撮像素子の駆動タイミングチャート
【図５】図１のデジタルカメラによる２枚撮りモード時の動作の別例を説明するためのフローチャート
【図６】図１のデジタルカメラによる２枚撮りモード時の固体撮像素子の駆動タイミングチャート
【図７】図１のデジタルカメラに搭載された固体撮像素子の変形例を示した平面模式図
【図８】図１のデジタルカメラの変形例を示したブロック図
【発明を実施するための形態】
【００１７】
以下、本発明の実施形態について図面を参照して説明する。
【００１８】
図１は、本発明の一実施形態を説明するための撮像装置の一例であるデジタルカメラの概略構成を示す図である。ここではデジタルカメラを例とするが、撮像装置としては、ビデオカメラやカメラ付き携帯電話機等であっても良い。
【００１９】
図示するデジタルカメラの撮像系は、撮影レンズ１と、固体撮像素子５と、この両者の間に設けられた絞り２と、赤外線カットフィルタ３と、光学ローパスフィルタ４とを備える。
【００２０】
デジタルカメラの電気制御系全体を統括制御するシステム制御部１１は、フラッシュ発光部１２及び受光部１３を制御し、レンズ駆動部８を制御して撮影レンズ１の位置をフォーカス位置に調整したりズーム調整を行ったりし、絞り駆動部９を介し絞り２の開口量を制御して露光量調整を行う。
【００２１】
システム制御部１１は、撮像素子駆動部１０を介して固体撮像素子５を駆動し、撮影レンズ１を通して撮像した被写体画像を撮像信号として出力させる。システム制御部１１には、操作部１４を通してユーザからの指示信号が入力される。
【００２２】
デジタルカメラの電気制御系は、更に、固体撮像素子５の出力に接続された相関二重サンプリング処理等のアナログ信号処理を行うアナログ信号処理部６と、このアナログ信号処理部６から出力されたＲＧＢの撮像信号をデジタル信号に変換するＡ／Ｄ変換回路７とを備え、これらはシステム制御部１１によって制御される。
【００２３】
更に、このデジタルカメラの電気制御系は、メインメモリ１６と、メインメモリ１６に接続されたメモリ制御部１５と、補間演算やガンマ補正演算，ＲＧＢ／ＹＣ変換処理等を行って画像データを生成するデジタル信号処理部１７と、デジタル信号処理部１７で生成された画像データをＪＰＥＧ形式に圧縮したり圧縮画像データを伸張したりする圧縮伸張処理部１８と、測光データを積算しデジタル信号処理部１７が行うホワイトバランス補正のゲインを求める積算部１９と、着脱自在の記録媒体２１が接続される外部メモリ制御部２０と、カメラ背面等に搭載された表示部２３が接続される表示制御部２２とを備え、これらは、制御バス２４及びデータバス２５によって相互に接続され、システム制御部１１からの指令によって制御される。
【００２４】
図２は、図１に示す固体撮像素子５の一構成例を示した平面模式図である。
固体撮像素子５は、半導体基板５０上の水平方向Ｘとこれに直交する垂直方向とに正方格子状に配列された赤色（Ｒ）の波長域の光（Ｒ光）を検出する光電変換素子５１Ｒ（図中に“Ｒ”の文字を付してある）、緑色（Ｇ）の波長域の光（Ｇ光）を検出する光電変換素子５１Ｇ（図中に“Ｇ”の文字を付してある）、青色（Ｂ）の波長域の光（Ｂ光）を検出する光電変換素子５１Ｂ（図中に“Ｂ”の文字を付してある）からなるＲＧＢ光電変換素子群と、半導体基板５０上の水平方向Ｘと垂直方向Ｙとに正方格子状に配列されたＲ光を検出する光電変換素子５１ｒ（図中に“ｒ”の文字を付してある）、Ｇ光を検出する光電変換素子５１ｇ（図中に“ｇ”の文字を付してある）、Ｂ光を検出する光電変換素子５１ｂ（図中に“ｂ”の文字を付してある）からなるｒｇｂ光電変換素子群とを備え、これらは同一光電変換素子数及び同一配列ピッチとなっており、それぞれの光電変換素子配列ピッチの略１／２だけ、水平方向Ｘ及び垂直方向Ｙにずれた位置に配置されている。
【００２５】
ＲＧＢ光電変換素子群の各光電変換素子の上方にはカラーフィルタが設けられており、このカラーフィルタの配列はベイヤー配列となっている。ｒｇｂ光電変換素子群の各光電変換素子の上方にも同様にカラーフィルタが設けられており、このカラーフィルタの配列もベイヤー配列となっている。このような構成により、ＲＧＢ光電変換素子群の各光電変換素子とｒｇｂ光電変換素子群の各光電変換素子とが、ＲＧＢ光電変換素子群の各光電変換素子に注目したときに、その素子の隣（Ｘ方向及びＹ方向に４５°で交差する方向の隣）には、ｒｇｂ光電変換素子群の光電変換素子が存在し、ｒｇｂ光電変換素子群の各光電変換素子に注目したときに、その素子の隣（Ｘ方向及びＹ方向に４５°で交差する方向の隣）には、ＲＧＢ光電変換素子群の光電変換素子が存在するようになっている。また、ＲＧＢ光電変換素子群の各光電変換素子と、その斜め右上隣にあるｒｇｂ光電変換素子群の光電変換素子とは、それぞれ同一色成分の光を検出するものとなっている。つまり、同一色成分を検出する光電変換素子同士が隣接して配置されるように各光電変換素子群がずらして配置されている。
【００２６】
ＲＧＢ光電変換素子群の各光電変換素子の配列は、水平方向Ｘに並ぶ光電変換素子５１Ｇと光電変換素子５１Ｂとからなる光電変換素子行であるＧＢ光電変換素子行と、水平方向Ｘに並ぶ光電変換素子５１Ｒと光電変換素子５１Ｇとからなる光電変換素子行であるＲＧ光電変換素子行とを、垂直方向Ｙに交互に配列したものと言うことができる。
【００２７】
ｒｇｂ光電変換素子群の各光電変換素子の配列は、水平方向Ｘに並ぶ光電変換素子５１ｇと光電変換素子５１ｂとからなる光電変換素子行であるｇｂ光電変換素子行と、水平方向Ｘに並ぶ光電変換素子５１ｒと光電変換素子５１ｇとからなる光電変換素子行であるｒｇ光電変換素子行とを、垂直方向Ｙに交互に配列したものと言うことができる。
【００２８】
各光電変換素子列の右側部には、各光電変換素子列に対応させて、各光電変換素子列を構成する光電変換素子に蓄積された電荷を垂直方向Ｙに転送するための垂直電荷転送路５４（図２では一部のみ図示してある）が形成されている。
【００２９】
垂直電荷転送路５４上方には、垂直電荷転送路５４に読み出された電荷の転送を制御するための１６相の転送パルスが撮像素子駆動部１０によって印加される転送電極Ｖ１〜Ｖ１６が形成されている。なお、垂直電荷転送路５４は１６相駆動方式のものには限定されない。
【００３０】
各光電変換素子と、それに対応する垂直電荷転送路５４との間には、各光電変換素子で発生した電荷を、該垂直電荷転送路５４に読み出すための電荷読出し部５５が設けられている。電荷読出し部５５は、各光電変換素子に対して同一の方向（図中の斜め右下方向）に設けられている。
【００３１】
ｇｂ光電変換素子行の各光電変換素子に対応する電荷読出し部５５上方には転送電極Ｖ２，Ｖ１０が形成されており、ここに読み出しパルスを印加することで、ｇｂ光電変換素子行の各光電変換素子に蓄積されている電荷を、各光電変換素子の右側部にある垂直電荷転送路５４に読み出すことができる。
【００３２】
ＧＢ光電変換素子行の各光電変換素子に対応する電荷読出し部５５上方には転送電極Ｖ４，Ｖ１２が形成されており、ここに読み出しパルスを印加することで、ＧＢ光電変換素子行の各光電変換素子に蓄積されている電荷を、各光電変換素子の右側部にある垂直電荷転送路５４に読み出すことができる。
【００３３】
ｒｇ光電変換素子行の各光電変換素子に対応する電荷読出し部５５上方には転送電極Ｖ６，Ｖ１４が形成されており、ここに読み出しパルスを印加することで、ｒｇ光電変換素子行の各光電変換素子に蓄積されている電荷を、各光電変換素子の右側部にある垂直電荷転送路５４に読み出すことができる。
【００３４】
ＲＧ光電変換素子行の各光電変換素子に対応する電荷読出し部５５上方には転送電極Ｖ８，Ｖ１６が形成されており、ここに読み出しパルスを印加することで、ＲＧ光電変換素子行の各光電変換素子に蓄積されている電荷を、各光電変換素子の右側部にある垂直電荷転送路５４に読み出すことができる。
【００３５】
垂直電荷転送路５４には、垂直電荷転送路５４を転送されてきた電荷を水平方向Ｘに転送するための水平電荷転送路５７が接続され、水平電荷転送路５７には、水平電荷転送路５７を転送されてきた電荷を電圧信号に変換して出力する出力アンプ５８が接続されている。
【００３６】
垂直電荷転送路５４と水平電荷転送路５７との間には、２つの光電変換素子行分の電荷を一時的に蓄積するラインメモリ５９が設けられている。ラインメモリ５９は、撮像素子駆動部１０により２相駆動又は４相駆動される。このラインメモリ５９を利用することにより、水平方向での電荷の加算や間引きが可能となる。
【００３７】
例えば２相駆動の場合、ラインメモリ５９に記憶されている電荷のうち、同色成分の電荷のうちの半分を水平電荷転送路５７に転送し、残り半分が記憶されているラインメモリ５９の対応する位置までこの電荷を水平方向Ｘに転送後、残り半分の電荷を水平電荷転送路５７に転送することで、２つの電荷を加算することができる。また、電荷排出ドレインを設け、ラインメモリ５９に記憶されている電荷うちの半分を水平電荷転送路５７に転送後、残りの半分をドレインに排出することで電荷を１／２に間引くことができる。
【００３８】
このデジタルカメラは、１回の撮像により、画素サイズ（垂直方向の画素数と水平方向の画素数とこれらの積とで定義される値）の異なる２つの画像データ（例えば、通常記録用の画像データＳ１（例えば画素サイズ：２４４８×３２６４ピクセル）と、ブログ用の画像データＳ２（例えば画素サイズ：４８０×６４０ピクセル））を生成して記録する２サイズ撮りモードを搭載している。以下、この２サイズ撮りモード時のデジタルカメラの動作について説明する。
【００３９】
図３は、図１のデジタルカメラの２サイズ撮りモード時の動作を説明するためのフローチャートである。図４は、２サイズ撮りモード時の固体撮像素子の駆動タイミングチャートである。図４では、ＲＧＢ光電変換素子群をＡ面と表記し、ｒｇｂ光電変換素子群をＢ面と表記している。また、固体撮像素子５に含まれる光電変換素子の総数をＴａ[ｐｉｘ]としている。固体撮像素子５の各光電変換素子群の１列の光電変換素子数を２４４８個とし、１行の光電変換素子数を３２６４個とすると、Ｔａ＝２４４８×３２６４×２となる。
【００４０】
２サイズ撮りモードでは２つの画像データの一方（ここでは画像データＳ２とする）の画素サイズを操作部１４の操作によって任意に設定可能となっている。ただし、画像データＳ２の画素サイズは、画像データＳ１の設定画素サイズよりも小さい範囲でしか設定できないようになっている。なお、初期設定では、画像データＳ１が第一の画素サイズ（２４４８×３２６４ピクセル）に設定され、画像データＳ２がブログ掲載用に適した第二の画素サイズ（例えばＶＧＡ）に設定されているものとする。
【００４１】
２サイズ撮りモードのメニュー画面上で画像データＳ２の画素サイズ設定変更が行われた場合（ステップＳ１：ＹＥＳ）、システム制御部１１は、初期設定の画像データＳ２の画素サイズを、指示された画素サイズに設定する（ステップＳ２）。
【００４２】
操作部１４に含まれるシャッタボタンが半押しされる（ステップＳ３：ＹＥＳ）と、システム制御部１１により、自動露出（ＡＥ）処理及び自動焦点調節（ＡＦ）処理が行われ、撮影条件が決定される（ステップＳ５）。そして、シャッタボタンが全押しされると（ステップＳ６：ＹＥＳ）、システム制御部１１の制御により、決定された撮影条件での撮影処理（ステップＳ７〜Ｓ１２）が開始される。
【００４３】
図４に示すように、デジタルカメラに搭載される図示しないメカニカルシャッタが開いている期間に、撮像素子駆動部１０により電子シャッタパルス（ＯＦＤ）の供給が停止されて電子シャッタが開の状態になると、固体撮像素子５の各光電変換素子の露光期間が開始される（ステップＳ７）。
【００４４】
メカニカルシャッタが閉じられて露光期間が終了すると、撮像素子駆動部１０は、まずＡ面出力モードにより固体撮像素子５を駆動する。Ａ面出力モードは、固体撮像素子５から出力されてくる信号の出力サイズ（固体撮像素子５から出力されてくる信号を、そのサンプリングポイントに対応させて２次元状に配置したときの、垂直方向の信号数と水平方向の信号数とこれらの積とで定義できる値）が上記第一の画素サイズ（２４４８×３２６４ピクセル）と同じになるように、固体撮像素子５のＲＧＢ光電変換素子群から信号を読み出す駆動モードである。ＲＧＢ光電変換素子群は、光電変換素子が正方格子状に配列されたものであるため、ＲＧＢ光電変換素子群から出力された信号の出力サイズと、その出力サイズの画像データから生成した画像データの画素サイズとは一致する。
【００４５】
Ａ面出力モードでは、転送電極Ｖ４，Ｖ８，Ｖ１２，Ｖ１６に読み出しパルスを印加して、光電変換素子５１Ｒ，５１Ｇ，５１Ｂに蓄積されていた電荷を垂直電荷転送路５４に読み出す。その後は、転送パルスを制御して、読み出した電荷を水平電荷転送路５７まで転送し、水平電荷転送路５７で出力アンプ５８まで転送する（ステップＳ８）。ＲＧＢ光電変換素子群の各光電変換素子の数は（２４４８×３２６４）個であるため、Ａ面出力モードにより、光電変換素子５１Ｒ，５１Ｇ，５１Ｂに蓄積されていた電荷に応じた（２４４８×３２６４）ピクセルの出力サイズの信号が固体撮像素子５から出力される。
【００４６】
Ａ面出力モードで固体撮像素子５から出力された信号はデジタル変換後、メインメモリ１６に一時記憶され、デジタル信号処理部１７により所定のデジタル信号処理が施されて（２４４８×３２６４）ピクセルの画像データＳ１が生成され、圧縮された後、例えば“００１．ｊｐｇ”の名前で記録媒体２１に記録される（ステップＳ９）。
【００４７】
Ａ面からの信号出力後、撮像素子駆動部１０は、Ｂ面出力モードにより固体撮像素子５を駆動する。Ｂ面出力モードは、固体撮像素子５から出力されてくる信号の出力サイズが、ステップＳ２で設定された画素サイズ又は初期設定のＶＧＡサイズと同じになるように、固体撮像素子５のｒｇｂ光電変換素子群から信号を読み出す駆動モードである。
【００４８】
Ｂ面出力モードでは、転送電極Ｖ２，Ｖ６に読み出しパルスを印加して、ｒｇｂ光電変換素子群から２つの光電変換素子行おきに電荷を垂直電荷転送路５４に読み出す。これにより、垂直方向の１／２間引きが実現される。その後は、転送パルスを制御して、読み出した各ラインの電荷をラインメモリ５９に記憶後、ラインメモリ５９と水平電荷転送路５７を制御して、水平方向の加算処理を行い、加算処理後の電荷を出力アンプ５８まで転送する（ステップＳ１０）。
【００４９】
このように垂直方向の間引きと水平方向の加算とを組み合わせ、間引き数及び加算数を適宜設定することにより、撮像素子駆動部１０は、ｒｇｂ光電変換素子群から出力される信号の出力サイズを、ステップＳ２で設定されたサイズ又は初期設定のＶＧＡサイズとなるようにする。
【００５０】
なお、垂直方向の間引きと水平方向の間引きを組み合わせたり、垂直方向の加算と水平方向の加算を組み合わせたり、垂直方向の加算と水平方向の間引きを組み合わせたりして、ｒｇｂ光電変換素子群から出力される信号の出力サイズを、ステップＳ２で設定されたサイズ又は初期設定のＶＧＡサイズと同じになるようにしても良い。このように、水平方向の電荷の加算数と間引き数のいずれかと、垂直方向の電荷の加算数と間引き数のいずれかとを、Ａ面出力モードとは異なるものにすることで、ｒｇｂ光電変換素子群から出力される信号の出力サイズを、ＲＧＢ光電変換素子群から出力される信号の出力サイズよりも小さくすることができる。
【００５１】
Ｂ面出力モードで固体撮像素子５から出力されたＴｂ（＜（Ｔａ／２））ピクセルの信号はデジタル変換後、メインメモリ１６に一時記憶され、デジタル信号処理部１７により所定のデジタル信号処理が施されて画像データＳ２が生成される（ステップＳ１１）。画像データＳ２は、圧縮された後、画像データＳ１と関連付けた名前、例えば“００１−ｓｍａｌｌ．ｊｐｇ”の名前で記録媒体２１に記録される（ステップＳ１２）。
【００５２】
なお、この例では、画像データＳ１の生成中にＢ面出力モードによる信号読み出しを行っているが、Ａ面出力モードとＢ面出力モードによる信号読み出し終了後に、画像データＳ１と画像データＳ２を順番に生成し、記録媒体２１に記録するようにしても良い。また、Ａ面出力モードとＢ面出力モードの実行順序は逆であっても良い。
【００５３】
画像データＳ２の記録後、２サイズ撮りモードの終了指示がなされた場合（ステップＳ１３：ＹＥＳ）、システム制御部１１は２サイズ撮りモードを終了する。２サイズ撮りモードの終了指示がなされなかった場合（ステップＳ１３：ＮＯ）は、ステップＳ１に戻る。
【００５４】
ここまでは２枚撮りモード時の動作について説明したが、通常の撮影モード時のときには、デジタル信号処理部１７が、ＲＧＢ光電変換素子群から読み出した各信号と、その各信号に隣接する、ｒｇｂ光電変換素子群から読み出した同色成分の信号とを合成処理し、１つの画像データを生成して記録することで、高感度の画像データを記録することができる。
【００５５】
以上のように、このデジタルカメラによれば、画素サイズの異なる２つの画像データを１回の撮像で得ることができる。このため、例えば画像データＳ２をブログ掲載用の画素サイズに設定しておくことにより、ブログ用に画像データを加工する作業が不要となる。したがって、ブログへの画像の掲載が容易となり、利便性が向上する。また、十分な画素サイズの画像データも残しておくことができ、その後の画像のプリントにも十分に対応することができる。
【００５６】
また、このデジタルカメラによれば、既存のデジタルカメラの構成をほとんど変えることなく、１回の撮像で異なる画素サイズの２種類の画像データを得ることができるため、信号処理手段を複数設けた特許文献２の構成に比べて、コストや装置面積を削減することができる。また、記録される２種類の画像データは、同一時刻に撮像して得られたものであるため、それぞれの内容が異なってしまうのを防ぐことができる。
【００５７】
また、このデジタルカメラによれば、外部操作により、画像データＳ２の画素サイズを任意に設定することができるため、用途に応じた使い方が可能となる。例えば、ブログ用やネットオークションの出品用の画像を欲しいときには、画像データＳ２をＶＧＡに設定し、携帯電話機等でメールに添付する画像を欲しいときには、画像データＳ２をメール添付に適した画素サイズに設定するといったように、用途に応じて画素サイズを変えることができる。
【００５８】
また、このデジタルカメラによれば、画像データＳ１と画像データＳ２はほぼ同じ内容の画像となるが、それぞれの名前が関連付けられた名前となっているため、どちらの画像がブログ用やメール添付用なのかを、再生画面等で容易に確認することができる。
【００５９】
一般的なカメラのように、画像データＳ１を“００１．ｊｐｇ”という名前で記録し、画像データＳ２を“００２．ｊｐｇ”という名前で記録すると、再生画面上にファイル名を表示させたとしても、画像自体の見た目上はどちらも同じであるため、両者の区別ができない。これに対し、画像データＳ１を“００１．ｊｐｇ”という名前で記録し、画像データＳ２を“００１．ｊｐｇ”と関連付けた“００１−ｓｍａｌｌ．ｊｐｇ”という名前で記録すれば、再生画面上に表示されるファイル名だけで、両者を区別することができる。また、“−ｓｍａｌｌ”を含むファイルだけを外部に送信する機能を持たせることで、例えばブログ用の画像データのみをコンピュータに転送するモードを実現することができ、画像データの管理がより容易になる。
【００６０】
固体撮像素子５は、ＲＧＢ光電変換素子群とｒｇｂ光電変換素子群とでそれぞれ独立に電荷を読み出すことが可能な構造となっている。このため、この構造を利用して、ＲＧＢ光電変換素子群とｒｇｂ光電変換素子群とで露光期間を変えて、画像データＳ１と画像データＳ２の感度を変えることも可能である。以下、ＲＧＢ光電変換素子群とｒｇｂ光電変換素子群とで露光期間を変えるときのデジタルカメラの動作について説明する。
【００６１】
図５は、図１のデジタルカメラの２サイズ撮りモード時の別の動作例を説明するためのフローチャートである。図６は、図５に示す動作例のときの固体撮像素子の駆動タイミングチャートである。図５において図３と同様の処理には同一符号を付して説明を省略する。
【００６２】
操作部１４に含まれるシャッタボタンが半押しされる（ステップＳ３：ＹＥＳ）と、システム制御部１１により、自動露出（ＡＥ）処理及び自動焦点調節（ＡＦ）処理が行われ、ＲＧＢ光電変換素子群とｒｇｂ光電変換素子群それぞれの露光時間を含む撮影条件が決定される（ステップＳ２１）。そして、シャッタボタンが全押しされる（ステップＳ２２：ＹＥＳ）と、システム制御部１１の制御により、決定された撮影条件での撮影処理（ステップＳ２３〜Ｓ１２）が開始される。
【００６３】
図６に示すように、デジタルカメラに搭載される図示しないメカニカルシャッタが開いている期間に、撮像素子駆動部１０により電子シャッタパルス（ＯＦＤ）の供給が停止されて電子シャッタが開の状態になると、固体撮像素子５のＲＧＢ光電変換素子群の露光期間が開始される（ステップＳ２３）。
【００６４】
撮像素子駆動部１０は、ＲＧＢ光電変換素子群の露光期間の途中で、転送電極Ｖ２，Ｖ６，Ｖ１０，Ｖ１４に読み出しパルスを印加して、ｒｇｂ光電変換素子群の各光電変換素子で発生した電荷を垂直電荷転送路５４に読み出す。この読み出しパルスの印加により、ｒｇｂ光電変換素子群の各光電変換素子の露光期間が開始される（ステップＳ２４）。
【００６５】
メカニカルシャッタが閉じられて露光期間が終了してからは、図３のステップＳ８以降と同様の処理が行われ、記録媒体２１には画像データＳ１と画像データＳ２が記録される。なお、ＲＧＢ光電変換素子群から電荷を読み出す際は、その直前に、垂直電荷転送路５４に読み出していた電荷を外部に掃き出す高速掃き出しモードが実行される点が図４とは若干異なる。
【００６６】
以上のように、ＲＧＢ光電変換素子群の露光期間の途中でｒｇｂ光電変換素子群から電荷を一旦読み出してしまうことにより、ｒｇｂ光電変換素子群とＲＧＢ光電変換素子群とで露光時間を変えることができ、この結果、画像データＳ１と画像データＳ２を感度の異なったものとすることができる。なお、この露光期間を変える駆動は、通常の撮影モード時に行っても良い。通常の撮影モード時には、ＲＧＢ光電変換素子群からの信号とｒｇｂ光電変換素子群からの信号とが合成処理されるため、ダイナミックレンジを拡大する効果が得られる。
【００６７】
以下、図１に示すデジタルカメラの変形例を説明する。
【００６８】
（第一変形例）
以上の説明では、固体撮像素子５の光電変換素子配列が、ＲＧＢ光電変換素子群とｒｇｂ光電変換素子群とを、水平方向Ｘと垂直方向Ｙに配列ピッチの１／２だけずらした、所謂ハニカム配列である場合を例にしたが、光電変換素子配列はこれに限らず、例えば正方配列であっても構わない。
【００６９】
図７は、図１に示したデジタルカメラに搭載される固体撮像素子の変形例を示す平面模式図である。図７に示す固体撮像素子５’は、半導体基板上の水平方向Ｘとこれに直交する垂直方向Ｙとに正方格子状に配列されたＲ光を検出する光電変換素子６１Ｒ（図中に“Ｒ”の文字を付してある）、Ｇ光を検出する光電変換素子６１Ｇ（図中に“Ｇ”の文字を付してある）、Ｂ光を検出する光電変換素子６１Ｂ（図中に“Ｂ”の文字を付してある）からなるＲＧＢ光電変換素子群と、水平方向Ｘと垂直方向Ｙとに正方格子状に配列されたＲ光を検出する光電変換素子６１ｒ（図中に“ｒ”の文字を付してある）、Ｇ光を検出する光電変換素子６１ｇ（図中に“ｇ”の文字を付してある）、Ｂ光を検出する光電変換素子６１ｂ（図中に“ｂ”の文字を付してある）からなるｒｇｂ光電変換素子群とを備え、これらが、それぞれの光電変換素子の垂直方向配列ピッチの略１／２だけ、垂直方向Ｙにずれた位置に配置されている。このような構成により、ＲＧＢ光電変換素子群の各光電変換素子とｒｇｂ光電変換素子群の各光電変換素子とが、ＲＧＢ光電変換素子群の各光電変換素子に注目したときに、その素子の隣（Ｙ方向の隣）には、ｒｇｂ光電変換素子群の光電変換素子が存在し、ｒｇｂ光電変換素子群の各光電変換素子に注目したときに、その素子の隣（Ｙ方向の隣）には、ＲＧＢ光電変換素子群の光電変換素子が存在するようになっている。また、ＲＧＢ光電変換素子群の各光電変換素子と、その垂直電荷転送部６４の電荷転送方向上流側隣にあるｒｇｂ光電変換素子群の光電変換素子とは、それぞれ同一色成分の光を検出するものとなっている。つまり、同一色成分を検出する光電変換素子同士が隣接して配置されるように各光電変換素子群がずらして配置されている。
【００７０】
固体撮像素子５’の光電変換素子の配列は、光電変換素子６１ｂと光電変換素子６１ｇと光電変換素子６１ｒとからなる光電変換素子行であって、光電変換素子６１ｂと光電変換素子６１ｇと光電変換素子６１ｒと光電変換素子６１ｇとをこの順番で水平方向Ｘに配列した組を、水平方向Ｘに繰り返し配列してなるｂｇｒｇ光電変換素子行と、光電変換素子６１Ｂと光電変換素子６１Ｇと光電変換素子６１Ｒとからなる光電変換素子行であって、光電変換素子６１Ｂと光電変換素子６１Ｇと光電変換素子６１Ｒと光電変換素子６１Ｇとをこの順番で水平方向Ｘに配列した組を、水平方向Ｘに繰り返し配列してなるＢＧＲＧ光電変換素子行と、光電変換素子６１ｂと光電変換素子６１ｇと光電変換素子６１ｒとからなる光電変換素子行であって、光電変換素子６１ｒと光電変換素子６１ｇと光電変換素子６１ｂと光電変換素子６１ｇとをこの順番で水平方向Ｘに配列した組を、水平方向Ｘに繰り返し配列してなるｒｇｂｇ光電変換素子行と、光電変換素子６１Ｂと光電変換素子６１Ｇと光電変換素子６１Ｒとからなる光電変換素子行であって、光電変換素子６１Ｒと光電変換素子６１Ｇと光電変換素子６１Ｂと光電変換素子６１Ｇとをこの順番で水平方向Ｘに配列した組を、水平方向Ｘに繰り返し配列してなるＲＧＢＧ光電変換素子行とを、この順番で垂直方向Ｙに繰り返し配置したものとなっている。
【００７１】
各光電変換素子列の右側部には、該光電変換素子列に対応させて、該光電変換素子列を構成する光電変換素子に蓄積された電荷を垂直方向Ｙに転送するための垂直電荷転送路６４（図７では一部のみ図示してある）が形成されている。
【００７２】
各光電変換素子と、それに対応する垂直電荷転送路６４との間には、各光電変換素子で発生した電荷を、該垂直電荷転送路６４に読み出すための電荷読出し部６５が設けられている。電荷読出し部６５は、各光電変換素子に対して同一の位置に設けられている。
【００７３】
垂直電荷転送路６４上方には、垂直電荷転送路６４に読み出された電荷の転送を制御するための１６相の転送パルスが撮像素子駆動部１０によって印加される転送電極Ｖ１〜Ｖ１６が形成されている。
【００７４】
転送電極Ｖ１，Ｖ２，Ｖ９，Ｖ１０は、ｂｇｒｇ光電変換素子行を構成する各光電変換素子に対応して設けられている。転送電極Ｖ２，Ｖ１０は、ｂｇｒｇ光電変換素子行を構成する各光電変換素子に対応する電荷読出し部６５も覆うように形成されており、ここに読み出しパルスを印加することで、ｂｇｒｇ光電変換素子行の各光電変換素子に蓄積されている電荷を、その右側部にある垂直電荷転送路６４に読み出すことができる。
【００７５】
転送電極Ｖ３，Ｖ４，Ｖ１１，Ｖ１２は、ＢＧＲＧ光電変換素子行を構成する各光電変換素子に対応して設けられている。転送電極Ｖ４，Ｖ１２は、ＢＧＲＧ光電変換素子行を構成する各光電変換素子に対応する電荷読出し部６５も覆うように形成されており、ここに読み出しパルスを印加することで、ＢＧＲＧ光電変換素子行の各光電変換素子に蓄積されている電荷を、その右側部にある垂直電荷転送路６４に読み出すことができる。
【００７６】
転送電極Ｖ５，Ｖ６，Ｖ１３，Ｖ１４は、ｒｇｂｇ光電変換素子行を構成する各光電変換素子に対応して設けられている。転送電極Ｖ６，Ｖ１４は、ｒｇｂｇ光電変換素子行を構成する各光電変換素子に対応する電荷読出し部６５も覆うように形成されており、ここに読み出しパルスを印加することで、ｒｇｂｇ光電変換素子行の各光電変換素子に蓄積されている電荷を、その右側部にある垂直電荷転送路６４に読み出すことができる。
【００７７】
転送電極Ｖ７，Ｖ８，Ｖ１５，Ｖ１６は、ＲＧＢＧ光電変換素子行を構成する各光電変換素子に対応して設けられている。転送電極Ｖ８，Ｖ１６は、ＲＧＢＧ光電変換素子行を構成する各光電変換素子に対応する電荷読出し部６５も覆うように形成されており、ここに読み出しパルスを印加することで、ＲＧＢＧ光電変換素子行の各光電変換素子に蓄積されている電荷を、その右側部にある垂直電荷転送路６４に読み出すことができる。
【００７８】
垂直電荷転送路６４には、垂直電荷転送路６４を転送されてきた電荷を水平方向Ｘに転送するための水平電荷転送路６７が接続され、水平電荷転送路６７には、水平電荷転送路６７を転送されてきた電荷を電圧信号に変換して出力する出力アンプ６８が接続されている。
【００７９】
垂直電荷転送路６４と水平電荷転送路６７との間には、２つの光電変換素子行分の電荷を一時的に蓄積するラインメモリ６９が設けられている。ラインメモリ６９は、撮像素子駆動部１０により２相駆動又は４相駆動される。このラインメモリ６９を利用することにより、水平方向での電荷の加算や間引きが可能となる。
【００８０】
以上のように、固体撮像素子が図７に示したような構成であっても、図３〜図６を用いて説明した駆動を適用することができ、同様の効果を得ることができる。
【００８１】
（第二変形例）
図８は、図１に示すデジタルカメラの変形例を示すブロック図である。図８に示すデジタルカメラは、図１に示すデジタルカメラに、通信部２６を追加した構成となっている。
【００８２】
通信部２６は、ブルートゥースや赤外線通信等の近距離無線通信が可能な携帯機器と、該近距離無線通信により通信を行うためのインターフェースである。図８に示すデジタルカメラは、記録媒体２１に記録されている画像データを通信部２６から携帯機器に送信することができる。携帯機器としては、インターネット等のネットワークに接続可能な携帯電話機やＰＤＡ等が挙げられる。このように、デジタルカメラに通信部２６を追加することで、例えば、画像データＳ２を、携帯機器を介してネットワーク上のサーバーにアップロードすることが可能となる。この結果、パーソナルコンピュータ等の大型機器を介さずにサーバーに画像データをアップロードすることが可能なため、ブログへの画像の掲載が更に容易となる。
【００８３】
なお、以上の説明では、２枚撮りモード時における画像データＳ１の画素サイズを固定としたが、これも任意に設定可能としても良い。この場合、撮像素子駆動部１０は、固体撮像素子５から出力される信号の出力サイズが設定された画素サイズとなるように、Ａ面出力モードの垂直方向及び水平方向の電荷加算数や間引き数を設定すれば良い。また、固体撮像素子の各光電変換素子群の上方に設けるカラーフィルタは原色フィルタに限らず、補色フィルタであっても良い。また、ベイヤー配列に限らず、ストライプ配列等であっても良い。また、フィルタを設けないモノクロ撮像素子であっても良い。
【００８４】
以上説明したように、本明細書には以下の事項が開示されている。
【００８５】
開示された撮像装置は、複数の光電変換素子を有する固体撮像素子を備える撮像装置であって、前記複数の光電変換素子が、第１の光電変換素子と第２の光電変換素子を含み、１回の撮像に対し、前記第１の光電変換素子から信号を読み出す第１の駆動と、前記第２の光電変換素子から信号を読み出す第２の駆動とを別々に行う駆動手段と、前記第１の光電変換素子から読み出された第１の信号に基づいて第１の画像データを生成し、前記第２の光電変換素子から読み出された第２の信号に基づいて第２の画像データを生成する画像データ生成手段と、前記第１の画像データと前記第２の画像データを記録媒体に記録する画像データ記録手段とを備え、前記駆動手段は、前記第２の信号の出力サイズが前記第１の信号の出力サイズよりも小さくなるように、前記第１の駆動と前記第２の駆動とで駆動方法を変更する。
【００８６】
この構成により、画素サイズの異なる２つの画像データを１回の撮像で得ることができる。このため、例えば第２の信号から生成した第２の画像データをブログ用の画素サイズに設定しておくことにより、ブログ用に画像データを加工する作業が不要となる。したがって、ブログへの画像の掲載が容易となり、利便性が向上する。
【００８７】
開示された撮像装置は、前記駆動手段が、前記光電変換素子から読み出した電荷の垂直方向での間引き数及び加算数のいずれかと、前記電荷の水平方向での間引き数及び加算数のいずれかとを、前記第１の駆動と前記第２の駆動とで変更する。
【００８８】
この構成により、第２の信号の出力サイズを第１の信号の出力サイズよりも小さくすることができ、画素サイズの異なる２つの画像データを記録することができる。
【００８９】
開示された撮像装置は、前記駆動手段が、前記第１の光電変換素子と前記第２の光電変換素子とで露光時間を変更する駆動を行う。
【００９０】
この構成により、露光時間及び画素サイズの異なる２つの画像データを１回の撮像で得ることができる。
【００９１】
開示された撮像装置は、前記第１の光電変換素子と前記第２の光電変換素子とが、前記第１の光電変換素子に注目したときに、その素子の隣には前記第２の光電変換素子が存在し、前記第２の光電変換素子に注目したときに、その素子の隣には前記第１の光電変換素子が存在するように、互いにずれた位置に配置されている。
【００９２】
開示された撮像装置は、前記第１の光電変換素子が半導体基板上の水平方向とこれに直交する垂直方向に正方格子状に配置され、前記第２の光電変換素子が前記水平方向及び前記垂直方向に正方格子状に配置され、前記第１の光電変換素子と前記第２の光電変換素子とが、同一の配列ピッチで、かつ、互いに配列ピッチの１／２だけ前記水平方向及び前記垂直方向にずらして配置されている。
【００９３】
開示された撮像装置は、外部操作により、前記第２の画像データの画素サイズを前記第１の画像データの設定サイズよりも小さい範囲で設定可能である。
【００９４】
この構成により、第２の画像データの画素サイズを外部操作によって設定することができ、用途に応じた画素サイズ設定が可能となる。
【００９５】
開示された撮像装置は、前記画像データ記録手段が、前記第２の画像データを、前記第１の画像データと関連付けた名前で記録する。
【００９６】
この構成により、画像データの再生時に、第１の画像データと第２の画像データの区別が容易となり、サーバーにブログ用の画像データをアップロードする場合でも、アップロードする画像データを簡単に選択することができる。
【００９７】
開示された撮像装置は、ネットワーク接続可能な携帯機器と通信する通信手段を備える。
【００９８】
この構成により、例えば、第２の画像データを、ネットワークに接続されたサーバーに携帯機器を介してアップロードすることが可能となる。このように、パーソナルコンピュータ等の大型機器を介さずにサーバーに画像データをアップロードすることが可能なため、ブログへの画像の掲載が更に容易となる。
【００９９】
開示された撮像装置の制御方法は、複数の光電変換素子を有する固体撮像素子を備える撮像装置の制御方法であって、前記複数の光電変換素子が、第１の光電変換素子と第２の光電変換素子を含み、１回の撮像に対し、前記第１の光電変換素子から信号を読み出す第１の駆動と、前記第２の光電変換素子から信号を読み出す第２の駆動とを別々に行う駆動ステップと、前記第１の光電変換素子から読み出された第１の信号に基づいて第１の画像データを生成し、前記第２の光電変換素子から読み出された第２の信号に基づいて第２の画像データを生成する画像データ生成ステップと、前記第１の画像データと前記第２の画像データを記録媒体に記録する画像データ記録ステップとを備え、前記駆動ステップでは、前記第２の信号の出力サイズが前記第１の信号の出力サイズよりも小さくなるように、前記第１の駆動と前記第２の駆動とで駆動方法を変更する。
【０１００】
開示された撮像装置の制御方法は、前記駆動ステップでは、前記光電変換素子から読み出した電荷の垂直方向での間引き数及び加算数のいずれかと、前記電荷の水平方向での間引き数及び加算数のいずれかとを、前記第１の駆動と前記第２の駆動とで変更する。
【０１０１】
開示された撮像装置の制御方法は、前記駆動ステップでは、前記第１の光電変換素子と前記第２の光電変換素子とで露光時間を変更する駆動を行う。
【０１０２】
開示された撮像装置の制御方法は、前記第１の光電変換素子と前記第２の光電変換素子とが、前記第１の光電変換素子に注目したときに、その素子の隣には前記第２の光電変換素子が存在し、前記第２の光電変換素子に注目したときに、その素子の隣には前記第１の光電変換素子が存在するように、互いにずれた位置に配置されている。
【０１０３】
開示された撮像装置の制御方法は、前記第１の光電変換素子が半導体基板上の水平方向とこれに直交する垂直方向に正方格子状に配置され、前記第２の光電変換素子が前記水平方向及び前記垂直方向に正方格子状に配置され、前記第１の光電変換素子と前記第２の光電変換素子とが、同一の配列ピッチで、かつ、互いに配列ピッチの１／２だけ前記水平方向及び前記垂直方向にずらして配置されている。
【０１０４】
開示された撮像装置の制御方法は、外部操作により、前記第２の画像データの画素サイズを前記第１の画像データの設定サイズよりも小さい範囲で設定する。
【０１０５】
開示された撮像装置の制御方法は、前記画像データ記録ステップでは、前記第２の画像データを、前記第１の画像データと関連付けた名前で記録する。
【符号の説明】
【０１０６】
５  固体撮像素子
５１Ｒ，Ｇ，Ｂ  第１の光電変換素子
５１ｒ，ｇ，ｂ  第２の光電変換素子
１０  撮像素子駆動部
１７  デジタル信号処理部
２０  外部メモリ制御部
２１  記録媒体
【図１】
2010200106.tif 000003
【図２】
2010200106.tif 000004
【図３】
2010200106.tif 000005
【図４】
2010200106.tif 000006
【図５】
2010200106.tif 000007
【図６】
2010200106.tif 000008
【図７】
2010200106.tif 000009
【図８】
2010200106.tif 000010